【手続補正書】
【提出日】平成29年7月4日(2017.7.4)
【手続補正１】
【補正対象書類名】特許請求の範囲
【補正対象項目名】全文
【補正方法】変更
【補正の内容】
【特許請求の範囲】
【請求項１】
カメラ本体に取り付けられる交換レンズに対して着脱可能であり、電力モードを第１のアクセサリ電力モードと、該第１のアクセサリ電力モードよりも消費電力の少ない第２のアクセサリ電力モードとに設定可能なアクセサリ装置であって、
前記交換レンズと通信可能なアクセサリ通信部と、前記アクセサリ装置の電力モードを制御するアクセサリ制御部を有し、
前記アクセサリ制御部は、前記交換レンズから、前記カメラ本体の電力モードの第１のカメラ電力モードから該第１のカメラ電力モードよりも消費電力の少ない第２のカメラ電力モードへの移行を示す情報と、前記交換レンズの電力モードの第１のレンズ電力モードから該第１のレンズ電力モードよりも消費電力の少ない第２のレンズ電力モードへの移行を示す情報を受信することに応じて、前記アクセサリ装置の電力モードを前記第１のアクセサリ電力モードから前記第２のアクセサリ電力モードとすることを特徴とするアクセサリ装置。
【請求項２】
前記交換レンズは変倍レンズを有し、
前記第１のアクセサリ電力モードは、前記アクセサリ通信部が、前記交換レンズとの間で、少なくとも前記変倍レンズの位置情報を通信可能な状態であり、
前記第２のアクセサリ電力モードは、前記アクセサリ通信部が前記交換レンズとの間で、少なくとも前記変倍レンズの位置情報を通信不可能な状態であることを特徴とする請求項１に記載のアクセサリ装置。
【請求項３】
前記交換レンズは変倍レンズを有し、
前記第１のレンズ電力モードは、前記カメラ本体及び前記アクセサリ装置と通信可能なレンズ通信部が、前記カメラ本体及び前記アクセサリ装置との間で、少なくとも前記変倍レンズの位置情報を通信可能な状態であり、
前記第２のレンズ電力モードは、前記レンズ通信部が、前記カメラ本体及び前記アクセサリ装置との間で、少なくとも前記変倍レンズの位置情報を通信不可能な状態であることを特徴とする請求項１または２に記載のアクセサリ装置。
【請求項４】
前記交換レンズは変倍レンズを有し、
前記第１のカメラ電力モードは、前記カメラ本体が前記交換レンズとの間で、少なくとも前記変倍レンズの位置情報を通信可能な状態であり、
前記第２のカメラ電力モードは、前記カメラ本体が前記交換レンズとの間で、少なくとも前記変倍レンズの位置情報を通信不可能な状態であることを特徴とする請求項１乃至３のいずれか１項に記載のアクセサリ装置。
【請求項５】
前記アクセサリ装置は、前記アクセサリ装置の動作に用いられる電力を供給する電力供給部を含むことを特徴とする請求項１乃至４のいずれか１項に記載のアクセサリ装置。
【請求項６】
前記アクセサリ装置は、前記カメラ本体との間で通信を行うために前記レンズ装置に設けられた第１のレンズ通信端子の電圧レベルを、前記アクセサリ装置との間で通信を行うために前記交換レンズに設けられた第２のレンズ通信端子の電圧レベルを変化させることによって変化させることで、前記交換レンズを前記第２のレンズ電力モードから前記第１のレンズ電力モードに移行させる復帰命令を前記カメラ本体から前記交換レンズに送信させることを特徴とする請求項１乃至５のいずれか１項に記載のアクセサリ装置。
【請求項７】
請求項１乃至６のいずれか１項に記載のアクセサリ装置が取り付けられ、カメラ本体に対して着脱可能な交換レンズであって、
前記カメラ本体と通信可能な第１のレンズ通信部と、前記アクセサリ装置と通信可能な第２のレンズ通信部を有し、
前記第１のレンズ通信部は、前記カメラ本体の電力モードが前記第２のカメラ電力モードに移行することを示す情報を受信し、
前記第２のレンズ通信部は、前記カメラ本体の電力モードが前記第２のカメラ電力モードに移行することを示す情報と、前記交換レンズの電力モードが前記第２のレンズ電力モードに移行することを示す情報を前記アクセサリ装置に送信することを特徴とする交換レンズ。
【請求項８】
請求項１乃至６のいずれか１項に記載のアクセサリ装置と、該アクセサリ装置が取り付けられる交換レンズと、該交換レンズが着脱可能に取り付けられるカメラ本体を含むカメラシステムであって、
前記交換レンズは、前記カメラ本体と通信可能な第１のレンズ通信部と、前記アクセサリ装置と通信可能な第２のレンズ通信部を有し、
前記カメラ本体は、前記交換レンズと通信可能なカメラ通信部を有し、
前記第１のレンズ通信部は、前記カメラ本体の電力モードの前記第１の電力モードから前記第２のカメラ電力モードへの移行を示す情報を前記カメラ通信部から受信し、
前記第２のレンズ通信部は、前記カメラ本体の電力モードの前記第１の電力モードから前記第２のカメラ電力モードへの移行を示す情報と、前記交換レンズの電力モードの前記第１の電力モードから前記第２のレンズ電力モードへの移行を示す情報を前記アクセサリ装置に送信することを特徴とするカメラシステム。
【請求項９】
カメラ本体に取り付けられる交換レンズに対して着脱可能であり、電力モードを第１のアクセサリ電力モードと、該第１のアクセサリ電力モードよりも消費電力の少ない第２のアクセサリ電力モードとに設定可能なアクセサリ装置のコンピュータに電力制御処理を実行させるプログラムであって、
前記カメラ本体の電力モードが、第１のカメラ電力モードから、該第１のカメラ電力モードよりも消費電力の少ない第２のカメラ電力モードに移行することを示す第１の情報を前記交換レンズから受信するステップと、
前記交換レンズの電力モードが、第１のレンズ電力モードから、該第１のレンズ電力モードよりも消費電力の少ない第２のレンズ電力モードに移行することを示す第２の情報を前記交換レンズから受信するステップと、
前記第１の情報と前記第２の情報を受信することに応じて前記アクセサリ装置の電力モードを前記第１のアクセサリ電力モードから前記第２のアクセサリ電力モードとするステップを含むことを特徴とするプログラム。
【手続補正２】
【補正対象書類名】明細書
【補正対象項目名】０００９
【補正方法】変更
【補正の内容】
【０００９】
本発明のアクセサリ装置は、カメラ本体に取り付けられる交換レンズに対して着脱可能であり、電力モードを第１のアクセサリ電力モードと、該第１のアクセサリ電力モードよりも消費電力の少ない第２のアクセサリ電力モードとに設定可能なアクセサリ装置であって、前記交換レンズと通信可能なアクセサリ通信部と、前記アクセサリ装置の電力モードを制御するアクセサリ制御部を有し、前記アクセサリ制御部は、前記交換レンズから、前記カメラ本体の電力モードの第１のカメラ電力モードから該第１のカメラ電力モードよりも消費電力の少ない第２のカメラ電力モードへの移行を示す情報と、前記交換レンズの電力モードの第１のレンズ電力モードから該第１のレンズ電力モードよりも消費電力の少ない第２のレンズ電力モードへの移行を示す情報を受信することに応じて、前記アクセサリ装置の電力モードを前記第１のアクセサリ電力モードから前記第２のアクセサリ電力モードとすることを特徴とする。
【手続補正３】
【補正対象書類名】明細書
【補正対象項目名】００１０
【補正方法】変更
【補正の内容】
【００１０】
また、本発明のプログラムは、カメラ本体に取り付けられる交換レンズに対して着脱取り外し可能であり、電力モードを第１のアクセサリ電力モードと、該第１のアクセサリ電力モードよりも消費電力の少ない第２のアクセサリ電力モードとに設定可能なアクセサリ装置のコンピュータに電力制御処理を実行させるプログラムであって、前記カメラ本体の電力モードが、第１のカメラ電力モードから、該第１のカメラ電力モードよりも消費電力の少ない第２のカメラ電力モードに移行することを示す第１の情報を前記交換レンズから受信するステップと、前記交換レンズの電力モードが、第１のレンズ電力モードから、該第１のレンズ電力モードよりも消費電力の少ない第２のレンズ電力モードに移行することを示す第２の情報を前記交換レンズから受信するステップと、前記第１の情報と前記第２の情報を受信することに応じて前記アクセサリ装置の電力モードを前記第１のアクセサリ電力モードから前記第２のアクセサリ電力モードとするステップを含むことを特徴とする。
【手続補正４】
【補正対象書類名】明細書
【補正対象項目名】００１６
【補正方法】変更
【補正の内容】
【００１６】
カメラ通信部３０３は、後述する第１のレンズ通信部２０５との通信を行うための通信端子（カメラ通信端子）を有し、第１のレンズ通信部２０５との間で測距情報や測光情報、ＩＤ情報等の情報の送受信を行う。レンズ装着検出部３０４は、交換レンズ２がカメラ本体３に装着されたことを検出する。測距ユニット３０５は、交換レンズ２に含まれる撮影光学系からの光束を用いてデフォーカス量を算出する。測光ユニット３０６は、被写体の輝度を測定する。
【手続補正５】
【補正対象書類名】明細書
【補正対象項目名】００２０
【補正方法】変更
【補正の内容】
【００２０】
第１のレンズ通信部２０５は、カメラ通信部３０３との通信を行うための通信端子（第１のレンズ通信端子）を有し、カメラ通信部３０３との間で測距情報や測光情報、ＩＤ情報等の情報の送受信を行う。ズーム位置検出部２０６は、焦点距離を変化させるための変倍レンズの位置を検出する。第２のレンズ通信部２０７は、ドライブユニットＣＰＵ４００との通信を行うための通信端子（第２のレンズ通信端子）を有し、ドライブユニットＣＰＵ４００との間で各種情報の送受信を行う。ドライブユニット装着検出部２０８は、ドライブユニット４が交換レンズ２に装着されたことを検出する。ズーム操作部２１２は、ユーザが手動で操作できるように構成されている。ユーザは、ズーム操作部２１２を操作することにより、ズームユニット２０９に含まれる変倍レンズを駆動させて手動でズーム操作を行うことができる。また、交換レンズ２に対してドライブユニット４が装着された状態においては、ドライブユニット４に含まれるズーム駆動ユニット４０５によりズーム操作部２１２が操作される。なお、交換レンズ２はカメラ本体３から電力の供給を受けて、フォーカスユニット２０１や絞りユニット２０３等の駆動制御を行う。